(57)【要約】【課題】共通の通信回線を介して複数種類の通信方式に従う通信信号を他の装置と送受信する構成において、他の通信方式に従う通信信号の影響を防ぎ、通信を良好に行なう。【解決手段】通信装置１０１は、第１の通信信号を送受信するための第１の通信処理部１０２と通信回線ＬＮとの間に設けられ、第１の通信信号の周波数帯域外の周波数成分の少なくとも一部を減衰させるための第１のフィルタ部１２と、第２の通信信号を送受信するための第２の通信処理部５２と通信回線ＬＮとの間に設けられ、第２の通信信号の周波数帯域外の周波数成分の少なくとも一部を減衰させるための第２のフィルタ部１１とを備える。第１の通信信号および第２の通信信号の周波数帯域は互いに重ならない。第１のフィルタ部１２は、第２の通信信号の周波数帯域における周波数成分を含むコモンモードノイズを除去するためのフィルタ回路４１を含む。【選択図】図２
2012227820.tif 000002
【特許請求の範囲】
【請求項１】
共通の通信回線を介して複数種類の通信方式に従う通信信号を他の装置と送受信するための通信装置であって、
前記通信回線を介して他の装置との間で第１の通信信号を送受信するための第１の通信処理部と前記通信回線との間に設けられ、前記第１の通信信号の周波数帯域外の周波数成分の少なくとも一部を減衰させるための第１のフィルタ部と、
前記第１の通信処理部とは異なる通信方式に従い、前記通信回線を介して他の装置との間で第２の通信信号を送受信するための第２の通信処理部と前記通信回線との間に設けられ、前記第２の通信信号の周波数帯域外の周波数成分の少なくとも一部を減衰させるための第２のフィルタ部とを備え、
前記第１の通信信号の周波数帯域および前記第２の通信信号の周波数帯域は互いに重ならず、
前記第１のフィルタ部は、前記第２の通信信号の周波数帯域における周波数成分を含むコモンモードノイズを除去するためのフィルタ回路を含む、通信装置。
【請求項２】
前記フィルタ回路は、
コモンモードチョークコイルと、
前記コモンモードチョークコイルとともに２次以上のフィルタを構成するための受動素子とを含む、請求項１に記載の通信装置。
【請求項３】
前記第１のフィルタ部は、
前記第１の通信信号を平衡信号として伝達するための第１の信号路および第２の信号路を含み、
前記コモンモードチョークコイルは、前記第１の信号路および前記第２の信号路に設けられ、
前記フィルタ回路は、
前記第１の信号路および前記第２の信号路間に直列接続され、互いの接続ノードが、固定電圧の供給されるノードに接続された２つの蓄電素子を含む、請求項２に記載の通信装置。
【請求項４】
前記受動素子は、前記コモンモードチョークコイルと前記第１の通信処理部との間に設けられる、請求項２または請求項３に記載の通信装置。
【請求項５】
前記第１の通信処理部は、ＩＳＤＮ（Integrated Services Digital Network）方式に従って前記第１の通信信号の送信および受信を行い、
前記第２の通信処理部は、ＶＤＳＬ（Very high-bit-rate Digital Subscriber Line）方式に従って前記第２の通信信号の送信および受信を行なう、請求項１から請求項４のいずれか１項に記載の通信装置。
【請求項６】
共通の通信回線を介して複数種類の通信方式に従う通信信号を他の装置と送受信するための通信装置に用いられるスプリッタであって、
前記通信回線を介して他の装置との間で第１の通信信号を送受信するための第１の通信処理部と前記通信回線との間に設けられ、前記第１の通信信号の周波数帯域外の周波数成分の少なくとも一部を減衰させるための第１のフィルタ部と、
前記第１の通信処理部とは異なる通信方式に従い、前記通信回線を介して他の装置との間で第２の通信信号を送受信するための第２の通信処理部と前記通信回線との間に設けられ、前記第２の通信信号の周波数帯域外の周波数成分の少なくとも一部を減衰させるための第２のフィルタ部とを備え、
前記第１の通信信号の周波数帯域および前記第２の通信信号の周波数帯域は互いに重ならず、
前記第１のフィルタ部は、前記第２の通信信号の周波数帯域における周波数成分を含むコモンモードノイズを除去するためのフィルタ回路を含む、スプリッタ。
【発明の詳細な説明】
【技術分野】
【０００１】
本発明は、通信装置およびスプリッタに関し、特に、共通の通信回線を介して複数種類の通信方式に従う通信信号を他の装置と送受信するための通信装置およびスプリッタに関する。
【背景技術】
【０００２】
既存の電話回線を利用して高速のデータ通信を行なうｘＤＳＬ（x Digital Subscriber
Line：デジタル加入者線）方式には、たとえばＡＤＳＬ（Asymmetric DSL：非対称デジタル加入者線）およびＶＤＳＬ（Very high-bit-rate DSL：超高速デジタル加入者線）などがある。
【０００３】
国際電気通信連合の電気通信標準化部門（ＩＴＵ−Ｔ）で勧告化されたＧ．９９３．２（「Very high speed digital subscriber line transceivers 2 (VDSL2)」，ITU-T勧告 G.993.2（非特許文献１）参照）では、ＶＤＳＬ方式における種々の機能が定められている。
【０００４】
ＶＤＳＬ方式では、電話回線を使用して通信を行なうことから、ＶＤＳＬ方式に従う通信信号であるＶＤＳＬ信号が、ＩＳＤＮ（Integrated Services Digital Network）方式に従う通信信号であるＩＳＤＮ信号と同一電話回線において重畳される場合がある。
【０００５】
このため、たとえばＶＤＳＬ信号を送受信するためのＶＤＳＬ装置において、ＶＤＳＬ信号およびＩＳＤＮ信号を分離させるためのスプリッタが必要となる。
【先行技術文献】
【非特許文献】
【０００６】
【非特許文献１】「Very high speed digital subscriber line transceivers 2 (VDSL2)」，ITU-T勧告G.993.2（非特許文献１）
【発明の概要】
【発明が解決しようとする課題】
【０００７】
本願発明者らは、このようなスプリッタを備えたＶＤＳＬ装置において、ＶＤＳＬ通信が行われているときにＩＳＤＮ通信が行われると、ＶＤＳＬ回線においてエラーが発生し、ＶＤＳＬ通信が切断される場合があることを発見した。
【０００８】
ＶＤＳＬ装置等、共通の通信回線を介して複数種類の通信方式に従う通信信号を他の装置と送受信するための通信装置において、スプリッタの性能を向上させることにより、このようなエラーの発生を防ぐ技術が望まれる。
【０００９】
この発明は、上述の課題を解決するためになされたもので、その目的は、共通の通信回線を介して複数種類の通信方式に従う通信信号を他の装置と送受信する構成において、他の通信方式に従う通信信号の影響を防ぎ、通信を良好に行なうことが可能な通信装置およびスプリッタを提供することである。
【課題を解決するための手段】
【００１０】
上記課題を解決するために、この発明のある局面に係わる通信装置は、共通の通信回線を介して複数種類の通信方式に従う通信信号を他の装置と送受信するための通信装置であって、上記通信回線を介して他の装置との間で第１の通信信号を送受信するための第１の通信処理部と上記通信回線との間に設けられ、上記第１の通信信号の周波数帯域外の周波数成分の少なくとも一部を減衰させるための第１のフィルタ部と、上記第１の通信処理部とは異なる通信方式に従い、上記通信回線を介して他の装置との間で第２の通信信号を送受信するための第２の通信処理部と上記通信回線との間に設けられ、上記第２の通信信号の周波数帯域外の周波数成分の少なくとも一部を減衰させるための第２のフィルタ部とを備え、上記第１の通信信号の周波数帯域および上記第２の通信信号の周波数帯域は互いに重ならず、上記第１のフィルタ部は、上記第２の通信信号の周波数帯域における周波数成分を含むコモンモードノイズを除去するためのフィルタ回路を含む。
【００１１】
このような構成により、第２の通信信号の周波数帯域に存在するコモンモード成分を十分に除去することができる。これにより、通信装置において、第２の通信信号の送受信による通信が行われているときに第１の通信信号の送受信による通信が行われることによって第２の通信信号の回線においてエラーが発生し、第２の通信信号の送受信による通信が切断されることを防ぐことができる。したがって、共通の通信回線を介して複数種類の通信方式に従う通信信号を他の装置と送受信する構成において、他の通信方式に従う通信信号の影響を防ぎ、通信を良好に行なうことができる。
【００１２】
好ましくは、上記フィルタ回路は、コモンモードチョークコイルと、上記コモンモードチョークコイルとともに２次以上のフィルタを構成するための受動素子とを含む。
【００１３】
このように、コモンモード成分に対する２次以上のフィルタを構成することにより、フィルタ特性を急峻にすることができるため、ノイズ除去能力を向上させ、コモンモードノイズを十分に除去することができる。
【００１４】
より好ましくは、上記第１のフィルタ部は、上記第１の通信信号を平衡信号として伝達するための第１の信号路および第２の信号路を含み、上記コモンモードチョークコイルは、上記第１の信号路および上記第２の信号路に設けられ、上記フィルタ回路は、上記第１の信号路および上記第２の信号路間に直列接続され、互いの接続ノードが、固定電圧の供給されるノードに接続された２つの蓄電素子を含む。
【００１５】
このような構成により、ノーマルモード成分に対する影響を防ぎながら、簡易な回路でコモンモード成分に対する２次のフィルタを構成し、コモンモードノイズを十分に除去することができる。
【００１６】
より好ましくは、上記受動素子は、上記コモンモードチョークコイルと上記第１の通信処理部との間に設けられる。
【００１７】
このように、上記受動素子をコモンモードノイズ源である第１の通信処理部に近い位置に設けることにより、ノイズ低減効果を高めることができる。また、ＬＣＬ（不平衡減衰量）等のスプリッタ特性の劣化を防ぐことができる。
【００１８】
好ましくは、上記第１の通信処理部は、ＩＳＤＮ（Integrated Services Digital Network）方式に従って上記第１の通信信号の送信および受信を行い、上記第２の通信処理部は、ＶＤＳＬ（Very high-bit-rate Digital Subscriber Line）方式に従って上記第２の通信信号の送信および受信を行なう。
【００１９】
このように、同一電話回線において重畳される２つの通信信号を処理する通信装置に適用することにより、本発明の効果をより顕著に得ることができる。
【００２０】
上記課題を解決するために、この発明のある局面に係わるスプリッタは、共通の通信回線を介して複数種類の通信方式に従う通信信号を他の装置と送受信するための通信装置に用いられるスプリッタであって、上記通信回線を介して他の装置との間で第１の通信信号を送受信するための第１の通信処理部と上記通信回線との間に設けられ、上記第１の通信信号の周波数帯域外の周波数成分の少なくとも一部を減衰させるための第１のフィルタ部と、上記第１の通信処理部とは異なる通信方式に従い、上記通信回線を介して他の装置との間で第２の通信信号を送受信するための第２の通信処理部と上記通信回線との間に設けられ、上記第２の通信信号の周波数帯域外の周波数成分の少なくとも一部を減衰させるための第２のフィルタ部とを備え、上記第１の通信信号の周波数帯域および上記第２の通信信号の周波数帯域は互いに重ならず、上記第１のフィルタ部は、上記第２の通信信号の周波数帯域における周波数成分を含むコモンモードノイズを除去するためのフィルタ回路を含む。
【００２１】
このような構成により、第２の通信信号の周波数帯域に存在するコモンモード成分を十分に除去することができる。これにより、通信装置において、第２の通信信号の送受信による通信が行われているときに第１の通信信号の送受信による通信が行われることによって第２の通信信号の回線においてエラーが発生し、第２の通信信号の送受信による通信が切断されることを防ぐことができる。したがって、共通の通信回線を介して複数種類の通信方式に従う通信信号を他の装置と送受信する構成において、他の通信方式に従う通信信号の影響を防ぎ、通信を良好に行なうことができる。
【発明の効果】
【００２２】
本発明によれば、共通の通信回線を介して複数種類の通信方式に従う通信信号を他の装置と送受信する構成において、他の通信方式に従う通信信号の影響を防ぎ、通信を良好に行なうことができる。
【図面の簡単な説明】
【００２３】
【図１】本発明の実施の形態に係る通信装置の構成を示す図である。
【図２】本発明の実施の形態に係る通信装置におけるスプリッタの構成を示す回路図である。
【図３】（ａ）〜（ｃ）は、フィルタ部において共振回路を設ける目的を説明するための図である。
【図４】ＩＳＤＮ信号、ＶＤＳＬ信号およびノイズの周波数関係を概略的に示す図である。
【図５】本発明の実施の形態に係るスプリッタのローパスフィルタ部におけるコモンモード用フィルタ回路のフィルタ特性の一例を概略的に示す図である。
【図６】ノーマルモード成分に対するコモンモード用フィルタ回路４１のフィルタ特性を説明するための図である。
【図７】コモンモード成分に対するコモンモード用フィルタ回路４１のフィルタ特性を説明するための図である。
【発明を実施するための形態】
【００２４】
以下、本発明の実施の形態について図面を用いて説明する。なお、図中同一または相当部分には同一符号を付してその説明は繰り返さない。
【００２５】
図１は、本発明の実施の形態に係る通信装置の構成を示す図である。
【００２６】
図１を参照して、ＶＤＳＬ装置（通信装置）１０１は、スプリッタ５１と、通信処理部（第２の通信処理部）５２とを備える。スプリッタ５１は、ハイパスフィルタ（ＨＰＦ）部１１と、ローパスフィルタ（ＬＰＦ）部１２とを含む。通信処理部５２は、送信部３１と、受信部３２とを含む。送信部３１は、Ｄ／Ａコンバータ２１と、ＩＦＦＴ処理部２２と、変調部２３とを含む。受信部３２は、Ａ／Ｄコンバータ２４と、ＦＦＴ処理部２５と、復調部２６とを含む。
【００２７】
ＶＤＳＬ装置１０１は、共通の通信回線たとえば電話回線ＬＮを介して複数種類の通信方式に従う通信信号を他の装置と送受信する。より詳細には、ＶＤＳＬ装置１０１は、ＶＤＳＬシステムにおける集合装置であり、電話回線ＬＮを介してＶＤＳＬシステムにおける１または複数の宅側装置と接続され、当該宅側装置との間でＶＤＳＬ信号を送受信する。
【００２８】
ＩＳＤＮ装置（第１の通信処理部）１０２は、ＩＳＤＮシステムにおける局側装置であり、ＶＤＳＬ装置１０１および電話回線ＬＮ経由でＩＳＤＮシステムにおける１または複数の宅側装置との間でＩＳＤＮ信号を送受信する。
【００２９】
通信処理部５２において、送信部３１は、電話回線ＬＮを介して宅側装置へ送信すべき下りデータをＶＤＳＬ信号に変換してスプリッタ５１へ出力する。
【００３０】
受信部３２は、スプリッタ５１から受けた宅側装置からのＶＤＳＬ信号を上りデータに変換して出力する。
【００３１】
スプリッタ５１において、ハイパスフィルタ部（第２のフィルタ部）１１は、通信処理部５２と電話回線ＬＮとの間に設けられ、ＶＤＳＬ信号の周波数帯域外の周波数成分の少なくとも一部を減衰させる。具体的には、ハイパスフィルタ部１１は、通信処理部５２から受けた信号の周波数成分のうち、所定の周波数以下の成分を減衰させ、電話回線ＬＮへ出力する。また、ハイパスフィルタ部１１は、電話回線ＬＮから受けた信号の周波数成分のうち、所定の周波数以下の成分を減衰させ、通信処理部５２へ出力する。
【００３２】
ローパスフィルタ部（第１のフィルタ部）１２は、ＩＳＤＮ装置１０２と電話回線ＬＮとの間に設けられ、ＩＳＤＮ信号の周波数帯域外の周波数成分の少なくとも一部を減衰させる。具体的には、ローパスフィルタ部１２は、ＩＳＤＮ装置１０２から受けた信号の周波数成分のうち、所定の周波数以上の成分を減衰させ、電話回線ＬＮへ出力する。また、ローパスフィルタ部１２は、電話回線ＬＮから受けた信号の周波数成分のうち、所定の周波数以上の成分を減衰させ、通信処理部５２へ出力する。
【００３３】
送信部３１において、変調部２３は、下りデータをたとえば直交変調してＩＦＦＴ処理部２２へ出力する。
【００３４】
ＩＦＦＴ処理部２２は、変調部２３から受けたデータを高速フーリエ逆変換（ＩＦＦＴ：Inverse Fast Fourier Transform）し、Ｄ／Ａコンバータ２１へ出力する。
【００３５】
Ｄ／Ａコンバータ２１は、ＩＦＦＴ処理部２２から受けたデータをアナログ信号に変換し、ＶＤＳＬ信号としてスプリッタ５１へ出力する。
【００３６】
受信部３２において、Ａ／Ｄコンバータ２４は、スプリッタ５１から受けたＶＤＳＬ信号をデジタル信号に変換してＦＦＴ処理部２５へ出力する。
【００３７】
ＦＦＴ処理部２５は、Ａ／Ｄコンバータ２４から受けたデジタル信号を高速フーリエ変換（ＦＦＴ：Fast Fourier Transform）し、復調部２６へ出力する。
【００３８】
復調部２６は、ＦＦＴ処理部２５から受けたデータをたとえば直交復調し、上りデータとして出力する。
【００３９】
図２は、本発明の実施の形態に係る通信装置におけるスプリッタの構成を示す回路図である。
【００４０】
図２を参照して、スプリッタ５１は、ハイパスフィルタ部１１と、ローパスフィルタ部１２と、サージアブソーバＳＡ１，ＳＡ２と、ヒューズＦ１，Ｆ２とを含む。ローパスフィルタ部１２は、コモンモード用フィルタ回路４１と、ノーマルモード用フィルタ回路４２とを含む。ハイパスフィルタ部１１は、コモンモード用フィルタ回路４３と、ノーマルモード用フィルタ回路４４とを含む。
【００４１】
ローパスフィルタ部１２において、コモンモード用フィルタ回路４１は、コモンモードチョークコイルＣＭＣ１と、キャパシタＣ１２，Ｃ１３とを含む。コモンモードチョークコイルＣＭＣ１は、共通のコアを有するコイルＬ２１，Ｌ２２を含む。ノーマルモード用フィルタ回路４２は、インダクタＬ１，Ｌ２，Ｌ３，Ｌ１１，Ｌ１２，Ｌ１３と、キャパシタＣ１，Ｃ２，Ｃ３，Ｃ１４，Ｃ１５とを含む。
【００４２】
ローパスフィルタ部１２において、インダクタＬ１，Ｌ１１はたとえば共通のコアを有する。インダクタＬ２，Ｌ１２はたとえば共通のコアを有する。インダクタＬ３，Ｌ１３はたとえば共通のコアを有する。
【００４３】
ハイパスフィルタ部１１において、コモンモード用フィルタ回路４３は、コモンモードチョークコイルＣＭＣ２を含む。コモンモードチョークコイルＣＭＣ２は、共通のコアを有するコイルＬ２３，Ｌ２４を含む。ノーマルモード用フィルタ回路４４は、インダクタＬ４，Ｌ５と、キャパシタＣ４，Ｃ５，Ｃ６，Ｃ７，Ｃ８，Ｃ９，Ｃ１０，Ｃ１１とを含む。
【００４４】
サージアブソーバＳＡ１は、電話回線ＬＮに接続されている。サージアブソーバＳＡ２は、たとえば電話回線を介して、局舎に設置されたＩＳＤＮ装置１０２に接続されている。
【００４５】
ローパスフィルタ部１２は、ＩＳＤＮ信号を平衡信号として伝達するためのバランス信号ラインＳＬ１およびバランス信号ラインＳＬ２を含む。
【００４６】
ハイパスフィルタ部１１は、ＶＤＳＬ信号を平衡信号として伝達するためのバランス信号ラインＳＬ１１およびバランス信号ラインＳＬ１２を含む。
【００４７】
ノーマルモード用フィルタ回路４２において、インダクタＬ１は、サージアブソーバＳＡ１の第１端に接続された第１端と、キャパシタＣ１の第１端に接続された第２端とを有する。インダクタＬ２は、インダクタＬ１の第２端およびキャパシタＣ１４の第１端に接続された第１端と、キャパシタＣ１４の第２端およびキャパシタＣ２の第１端に接続された第２端とを有する。インダクタＬ３は、インダクタＬ２の第２端に接続された第１端と、キャパシタＣ３の第１端に接続された第２端とを有する。インダクタＬ１１は、サージアブソーバＳＡ１の第２端に接続された第１端と、キャパシタＣ１の第２端に接続された第２端とを有する。インダクタＬ１２は、インダクタＬ１１の第２端およびキャパシタＣ１５の第１端に接続された第１端と、キャパシタＣ１５の第２端およびキャパシタＣ２の第２端に接続された第２端とを有する。インダクタＬ１３は、インダクタＬ１２の第２端に接続された第１端と、キャパシタＣ３の第２端に接続された第２端とを有する。
【００４８】
コモンモード用フィルタ回路４１において、コモンモードチョークコイルＣＭＣ１のコイルＬ２１は、バランス信号ラインＳＬ１上に設けられ、キャパシタＣ３の第１端に接続された第１端と、ヒューズＦ１の第１端に接続された第２端とを有する。ヒューズＦ１の第２端とサージアブソーバＳＡ２の第１端とが接続されている。コモンモードチョークコイルＣＭＣ１のコイルＬ２２は、バランス信号ラインＳＬ２上に設けられ、キャパシタＣ３の第２端に接続された第１端と、ヒューズＦ２の第１端に接続された第２端とを有する。ヒューズＦ２の第２端とサージアブソーバＳＡ２の第２端とが接続されている。キャパシタＣ１２は、コモンモードチョークコイルＣＭＣ１のコイルＬ２１の第２端に接続された第１端と、キャパシタＣ１３の第１端に接続された第２端とを有する。キャパシタＣ１３は、キャパシタＣ１２の第２端に接続された第１端と、コモンモードチョークコイルＣＭＣ１のコイルＬ２２の第２端に接続された第２端とを有する。キャパシタＣ１２の第２端とキャパシタＣ１３の第１端との接続ノードが、固定電圧たとえば接地電圧の供給される接地ノードに接続されている。
【００４９】
ノーマルモード用フィルタ回路４４において、キャパシタＣ４は、サージアブソーバＳＡ１の第１端に接続された第１端と、インダクタＬ４の第１端に接続された第２端とを有する。キャパシタＣ６は、キャパシタＣ４の第２端に接続された第１端と、インダクタＬ５の第１端に接続された第２端とを有する。キャパシタＣ８は、キャパシタＣ６の第２端に接続された第１端と、第２端とを有する。インダクタＬ４の第２端とキャパシタＣ１０の第１端とが接続されている。インダクタＬ５の第２端とキャパシタＣ１１の第１端とが接続されている。キャパシタＣ５は、サージアブソーバＳＡ１の第２端に接続された第１端と、キャパシタＣ１０の第２端に接続された第２端とを有する。キャパシタＣ７は、キャパシタＣ５の第２端に接続された第１端と、キャパシタＣ１１の第２端に接続された第２端とを有する。キャパシタＣ９は、キャパシタＣ７の第２端に接続された第１端と、第２端とを有する。
【００５０】
コモンモード用フィルタ回路４３において、コモンモードチョークコイルＣＭＣ２のコイルＬ２３は、バランス信号ラインＳＬ１１上に設けられ、キャパシタＣ８の第２端に接続された第１端と、通信処理部５２に接続された第２端とを有する。コモンモードチョークコイルＣＭＣ２のコイルＬ２４は、バランス信号ラインＳＬ１２上に設けられ、キャパシタＣ９の第２端に接続された第１端と、通信処理部５２に接続された第２端とを有する。
【００５１】
コモンモード用フィルタ回路４１は、ＩＳＤＮ装置１０２および電話回線ＬＮ間において発生するコモンモードノイズを除去する。
【００５２】
ノーマルモード用フィルタ回路４２は、ＩＳＤＮ装置１０２および電話回線ＬＮ間において発生するノーマルモードノイズを除去する。より詳細には、インダクタＬ１，Ｌ２，Ｌ３，Ｌ１１，Ｌ１２，Ｌ１３およびキャパシタＣ１，Ｃ２，Ｃ３により、ローパスフィルタとして機能する複数のＬＣフィルタが構成される。また、インダクタＬ２およびキャパシタＣ１４により、並列共振回路が構成される。また、インダクタＬ１２およびキャパシタＣ１５により、並列共振回路が構成される。
【００５３】
コモンモード用フィルタ回路４３は、通信処理部５２および電話回線ＬＮ間において発生するコモンモードノイズを除去する。
【００５４】
ノーマルモード用フィルタ回路４４は、通信処理部５２および電話回線ＬＮ間において発生するノーマルモードノイズを除去する。より詳細には、インダクタＬ４，Ｌ５およびキャパシタＣ４，Ｃ５，Ｃ６，Ｃ７，Ｃ８，Ｃ９により、ハイパスフィルタとして機能する複数のＬＣフィルタが構成される。また、インダクタＬ４およびキャパシタＣ１０により、直列共振回路が構成される。また、インダクタＬ５およびキャパシタＣ１１により、直列共振回路が構成される。
【００５５】
上記のようにローパスフィルタ部１２およびハイパスフィルタ部１１において共振回路を構成することにより、フィルタ特性を急峻にすることができる。
【００５６】
図３（ａ）〜（ｃ）は、フィルタ部において共振回路を設ける目的を説明するための図である。
【００５７】
図３（ａ）は、一例としてローパスフィルタの特性を示している。この特性を急峻にしようとした場合、図３（ｂ）に示すように、フィルタの次数を増やす方法が考えられる。しかしながら、このような方法では、フィルタの部品点数が多くなってしまう。
【００５８】
そこで、本発明の実施の形態に係るスプリッタでは、共振回路を設けることにより、図３（ｃ）に示すようにフィルタ特性において共振点を作り、フィルタ特性を急峻にする。
【００５９】
このような構成により、フィルタの次数を増やす構成と比べてフィルタの部品点数を少なくすることができる。
【００６０】
図４は、ＩＳＤＮ信号、ＶＤＳＬ信号およびノイズの周波数関係を概略的に示す図である。
【００６１】
図４を参照して、ＩＳＤＮ信号の周波数帯域およびＶＤＳＬ信号の周波数帯域は互いに重ならず、かつＩＳＤＮ信号の周波数帯域は、ＶＤＳＬ信号の周波数帯域と比べて周波数が低い。
【００６２】
より詳細には、ＩＳＤＮ信号の周波数帯域は０Ｈｚから３２０ｋＨｚであり、３２０ｋＨｚ以上において、ＩＳＤＮ信号のサイドローブであるノーマルモードノイズが発生する。このノーマルモードノイズの一部は、ＶＤＳＬ信号の周波数帯域にも存在する。ＶＤＳＬ信号の周波数帯域は、６４０ｋＨｚ以上である。
【００６３】
本願発明者らは、従来のＶＤＳＬ装置において、ＶＤＳＬ通信が行われているときにＩＳＤＮ通信が行われるとＶＤＳＬ回線においてエラーが発生し、ＶＤＳＬ通信が切断される場合があることを発見した。そして、従来のＶＤＳＬ装置では、ＩＳＤＮ信号のノーマルモードノイズではなく、ＩＳＤＮ信号のコモンモードノイズを十分に除去しきれていないため、このようなエラーが発生する、という知見を得た。
【００６４】
すなわち、ＶＤＳＬ回線でエラーが発生していることから、コモンモード成分の少なくとも一部がＶＤＳＬ信号の周波数帯域に存在しており、従来のＶＤＳＬ装置では、ＶＤＳＬ信号の周波数帯域に存在するコモンモード成分の除去が不十分である、と考えた。
【００６５】
そこで、本願発明者らは、スプリッタ５１のコモンモード用フィルタ回路４１において、コモンモードチョークコイルＣＭＣ１に加えて、新たにキャパシタＣ１２，Ｃ１３を設ける対策を行なった。
【００６６】
すなわち、コモンモード用フィルタ回路４１は、ＶＤＳＬ信号の周波数帯域における周波数成分を含むコモンモードノイズを除去する。
【００６７】
より詳細には、図２に示すように、コモンモード用フィルタ回路４１において、コモンモードチョークコイルＣＭＣ１は、バランス信号ラインＳＬ１およびバランス信号ラインＳＬ２に設けられている。そして、キャパシタＣ１２，Ｃ１３は、バランス信号ラインＳＬ１およびバランス信号ラインＳＬ２間に直列接続され、互いの接続ノードが、固定電圧たとえば接地電圧の供給されるノードに接続されている。
【００６８】
図５は、本発明の実施の形態に係るスプリッタのローパスフィルタ部におけるコモンモード用フィルタ回路のフィルタ特性の一例を概略的に示す図である。
【００６９】
図５を参照して、コモンモード用フィルタ回路４１においてキャパシタＣ１２，Ｃ１３を設けないと仮定した場合には、コモンモード用フィルタ回路４１の特性が比較的緩やかになる（特性Ａ）。すなわち、コモンモード用フィルタ回路４１においてコモンモードチョークコイルＣＭＣ１だけを設ける場合には、コモンモード用フィルタ回路４１においてコモンモード成分に対する１次のフィルタが構成される。
【００７０】
このため、ＩＳＤＮ装置１０２および電話回線ＬＮ間に発生するコモンモードノイズの周波数成分のうち、ＶＤＳＬ信号の周波数帯域における周波数成分を十分に減衰できなくなる。
【００７１】
これに対して、本発明の実施の形態に係るスプリッタでは、コモンモード用フィルタ回路４１においてキャパシタＣ１２，Ｃ１３をさらに設ける構成により、コモンモード用フィルタ回路４１においてコモンモード成分に対する２次のフィルタを構成することができる。これにより、フィルタ特性を急峻にすることができるため（特性Ｂ）、コモンモード用フィルタ回路４１のノイズ除去能力を向上させ、コモンモードノイズを十分に除去することができる。
【００７２】
図６は、ノーマルモード成分に対するコモンモード用フィルタ回路４１のフィルタ特性を説明するための図である。
【００７３】
図６を参照して、ノーマルモードでは、バランス信号ラインＳＬ１の電位が＋Ｖであるとすると、バランス信号ラインＳＬ２の電位は−Ｖであり、中点すなわちキャパシタＣ１２およびキャパシタＣ１３の接続ノードの電位はゼロである。
【００７４】
中点の電位がゼロ０の状態は、ノーマルモード成分に対して、中点を接地してもしなくても同じ状態である。このため、キャパシタＣ１２およびキャパシタＣ１３からなる回路は、ノーマルモード成分に対して、キャパシタＣ１２およびキャパシタＣ１３の合成容量となる。
【００７５】
ここで、キャパシタＣ１２およびキャパシタＣ１３の容量は、ノーマルモード用フィルタ回路４２におけるキャパシタＣ３の容量と比べてたとえば１桁小さい値が設定される。このため、ノーマルモード成分に対するフィルタ特性においては、キャパシタＣ３の方が支配的となり、キャパシタＣ１２およびキャパシタＣ１３は、ノーマルモード成分に対するフィルタ特性にはほとんど影響しない。
【００７６】
すなわち、ノーマルモード成分に対しては、キャパシタＣ１２およびキャパシタＣ１３からなる回路は、無いものとみなすことができる。すなわち、キャパシタＣ１２，Ｃ１３を設けても、ＩＳＤＮ信号の通過特性に対する影響は無い。
【００７７】
図７は、コモンモード成分に対するコモンモード用フィルタ回路４１のフィルタ特性を説明するための図である。
【００７８】
図７を参照して、コモンモードでは、バランス信号ラインＳＬ１の電位が＋Ｖであるとすると、バランス信号ラインＳＬ２の電位は＋Ｖである。
【００７９】
中点すなわちキャパシタＣ１２およびキャパシタＣ１３の接続ノードを接地しない場合には、中点の電位は＋Ｖである。このため、バランス信号ラインＳＬ１およびＳＬ２間で電位差が無いことから、コモンモード成分を減衰させることはできない。
【００８０】
これに対して、本発明の実施の形態に係るスプリッタでは、キャパシタＣ１２およびキャパシタＣ１３の接続ノードを接地する。これにより、バランス信号ラインＳＬ１およびＳＬ２間で電位差が発生し、コモンモードチョークコイルＣＭＣ１およびキャパシタＣ１２，Ｃ１３からなるコモンモード用フィルタ回路のフィルタ特性に従ってコモンモードノイズを除去することができる。
【００８１】
なお、コモンモード用フィルタ回路４１において、３次以上のフィルタが構成されてもよい。
【００８２】
また、キャパシタＣ１２およびキャパシタＣ１３は、ローパスフィルタ部１２における他の部分に設けてもよい。
【００８３】
さらに、キャパシタＣ１２およびキャパシタＣ１３は、ローパスフィルタ部１２およびハイパスフィルタ部１１の分岐部分の前段、すなわち、サージアブソーバＳＡ１の前段または後段に設けてもよい。
【００８４】
但し、キャパシタＣ１２，Ｃ１３をコモンモードチョークコイルＣＭＣ１とＩＳＤＮ装置１０２との間に設けることにより、以下のような効果を奏する。
【００８５】
すなわち、コモンモードノイズ源であるＩＳＤＮ装置１０２に近い位置に設けることにより、ノイズ低減効果を高めることができる。
【００８６】
また、スプリッタ特性の１つとして、ＬＣＬ（不平衡減衰量）が規定される。このＬＣＬは、キャパシタＣ１２の容量とキャパシタＣ１３の容量とにばらつきがあると劣化する。また、ＬＣＬは、電話回線ＬＮ側から測定する。そして、コモンモードチョークコイルＣＭＣ１はコモンモード成分に対して非常に大きなインピーダンスを持つことから、キャパシタＣ１２，Ｃ１３をＩＳＤＮ装置１０２側、すなわちコモンモードチョークコイルＣＭＣ１に対して電話回線ＬＮの反対側に設ける構成により、キャパシタＣ１２，Ｃ１３のばらつきの影響が無視できるようになり、スプリッタ特性の劣化を防ぐことができる。
【００８７】
また、コモンモード用フィルタ回路４１は、キャパシタに限らず、コモンモードチョークコイルＣＭＣ１とともに２次以上のフィルタを構成するための受動素子を含む構成であればよい。
【００８８】
ところで、スプリッタを備えたＶＤＳＬ装置において、ＶＤＳＬ通信が行われているときにＩＳＤＮ通信が行われると、ＶＤＳＬ回線においてエラーが発生し、ＶＤＳＬ通信が切断される場合がある。このため、スプリッタの性能を向上させることにより、このようなエラーの発生を防ぐ技術が望まれる。
【００８９】
そこで、本発明の実施の形態に係る通信装置では、ローパスフィルタ部１２は、電話回線ＬＮを介して他の装置との間でＩＳＤＮ信号を送受信するためのＩＳＤＮ装置１０２と電話回線ＬＮとの間に設けられ、ＩＳＤＮ信号の周波数帯域外の周波数成分の少なくとも一部を減衰させる。ハイパスフィルタ部１１は、ＩＳＤＮ装置１０２とは異なる通信方式に従い、電話回線ＬＮを介して他の装置との間でＶＤＳＬ信号を送受信するための通信処理部５２と電話回線ＬＮとの間に設けられ、ＶＤＳＬ信号の周波数帯域外の周波数成分の少なくとも一部を減衰させる。ＩＳＤＮ信号の周波数帯域およびＶＤＳＬ信号の周波数帯域は互いに重ならない。そして、ローパスフィルタ部１２において、コモンモード用フィルタ回路４１は、ＶＤＳＬ信号の周波数帯域における周波数成分を含むコモンモードノイズを除去する。
【００９０】
このような構成により、ＶＤＳＬ信号の周波数帯域に存在するコモンモード成分を十分に除去することができる。これにより、ＶＤＳＬ装置において、ＶＤＳＬ通信が行われているときにＩＳＤＮ通信が行われることによってＶＤＳＬ回線においてエラーが発生し、ＶＤＳＬ通信が切断されることを防ぐことができる。
【００９１】
したがって、本発明の実施の形態に係る通信装置では、共通の通信回線を介して複数種類の通信方式に従う通信信号を他の装置と送受信する構成において、他の通信方式に従う通信信号の影響を防ぎ、通信を良好に行なうことができる。
【００９２】
また、本発明の実施の形態に係る通信装置では、コモンモード用フィルタ回路４１は、コモンモードチョークコイルＣＭＣ１と、コモンモードチョークコイルＣＭＣ１とともに２次以上のフィルタを構成するための受動素子とを含む。
【００９３】
このように、コモンモード成分に対する２次以上のフィルタを構成することにより、フィルタ特性を急峻にすることができるため、ノイズ除去能力を向上させ、コモンモードノイズを十分に除去することができる。
【００９４】
また、本発明の実施の形態に係る通信装置では、コモンモードチョークコイルＣＭＣ１は、バランス信号ラインＳＬ１およびバランス信号ラインＳＬ２に設けられている。そして、キャパシタＣ１２，Ｃ１３は、バランス信号ラインＳＬ１およびバランス信号ラインＳＬ２間に直列接続され、互いの接続ノードが、固定電圧の供給されるノードに接続されている。
【００９５】
このような構成により、ノーマルモード成分に対する影響を防ぎながら、簡易な回路でコモンモード成分に対する２次のフィルタを構成し、コモンモードノイズを十分に除去することができる。
【００９６】
また、本発明の実施の形態に係る通信装置では、キャパシタＣ１２，Ｃ１３は、コモンモードチョークコイルＣＭＣ１とＩＳＤＮ装置１０２との間に設けられている。
【００９７】
このように、キャパシタＣ１２，Ｃ１３をコモンモードノイズ源であるＩＳＤＮ装置１０２に近い位置に設けることにより、ノイズ低減効果を高めることができる。また、ＬＣＬ等のスプリッタ特性の劣化を防ぐことができる。
【００９８】
また、本発明の実施の形態に係る通信システムでは、ＩＳＤＮ装置１０２は、ＩＳＤＮ方式に従ってＩＳＤＮ信号の送信および受信を行なう。また、通信処理部５２は、ＶＤＳＬ方式に従ってＶＤＳＬ信号の送信および受信を行なう。
【００９９】
このように、同一電話回線において重畳される２つの通信信号を処理する通信装置に適用することにより、本発明の効果をより顕著に得ることができる。
【０１００】
なお、本発明の実施の形態に係る通信装置はＶＤＳＬ装置であるとしたが、これに限定するものではない。ＩＳＤＮおよびＶＤＳＬの少なくとも一方とは別の通信方式に従う通信処理を行なう構成であってもよいし、ＩＳＤＮおよびＶＤＳＬに加えて、さらに別の通信方式に従う通信処理を行なう構成であってもよい。
【０１０１】
また、本発明の実施の形態に係る通信装置では、ローパスフィルタ部１２のコモンモード用フィルタ回路４１において２次以上のフィルタを構成するとしたが、これに限定するものではない。通信処理部５２および電話回線ＬＮ間において発生するコモンモードノイズが問題になる場合には、ハイパスフィルタ部１１のコモンモード用フィルタ回路４３において２次以上のフィルタを構成してもよい。
【０１０２】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０１０３】
１１  ハイパスフィルタ部（第２のフィルタ部）
１２  ローパスフィルタ部（第１のフィルタ部）
２１  Ｄ／Ａコンバータ
２２  ＩＦＦＴ処理部
２３  変調部
２４  Ａ／Ｄコンバータ
２５  ＦＦＴ処理部
２６  復調部
３１  送信部
３２  受信部
４１  コモンモード用フィルタ回路
４２  ノーマルモード用フィルタ回路
４３  コモンモード用フィルタ回路
４４  ノーマルモード用フィルタ回路
５１  スプリッタ
５２  通信処理部（第２の通信処理部）
１０１  ＶＤＳＬ装置（通信装置）
１０２  ＩＳＤＮ装置（第１の通信処理部）
Ｆ１，Ｆ２  ヒューズ
Ｃ１２，Ｃ１３  キャパシタ
Ｃ１，Ｃ２，Ｃ３，Ｃ４，Ｃ５，Ｃ６，Ｃ７，Ｃ８，Ｃ９，Ｃ１０，Ｃ１１，Ｃ１２，Ｃ１３，Ｃ１４，Ｃ１５  キャパシタ
ＣＭＣ１，ＣＭＣ２  コモンモードチョークコイル
Ｌ２１，Ｌ２２，Ｌ２３，Ｌ２４  コイル
Ｌ１，Ｌ２，Ｌ３，Ｌ４，Ｌ５，Ｌ１１，Ｌ１２，Ｌ１３  インダクタ
ＬＮ  電話回線
ＳＡ１，ＳＡ２  サージアブソーバ
ＳＬ１，ＳＬ２  バランス信号ライン
【図１】
2012227820.tif 000003
【図２】
2012227820.tif 000004
【図３】
2012227820.tif 000005
【図４】
2012227820.tif 000006
【図５】
2012227820.tif 000007
【図６】
2012227820.tif 000008
【図７】
2012227820.tif 000009